(57)【要約】【課題】ピンが突出位置にあるのか、引き込み位置にロックされているのか、一目で分かるようにする。【解決手段】本体２に、横断面外周正多角形状をなす角柱状部５を設け、角柱状部５の側面にロック状態表示色部１０を設ける。本体２を貫通するピン１２の基端部に操作ノブ１３を取り付ける。角柱状部５に対し３６０／Ｎ度（Ｎは前記正多角形状の角数）ずつ回転した位置で嵌合可能な本体収容部１６と、それとはずれた回転位置で角柱状部５の先端部に嵌合されるロック用凹部１８とを操作ノブ１３に設ける。本体収容部１６が角柱状部５に最大深さまで嵌合されているときは、ロック状態表示色部１０は外部から見えず、かつピン１２は突出位置にある一方、角柱状部５がロック用凹部１８に嵌合されているときは、ロック状態表示色部１０は外部から見え、かつピン１２は引き込み位置にあるようにする。【選択図】図１
2010019352.tif 000002
【特許請求の範囲】
【請求項１】
プランジャ支持体に取り付けられる本体と、
前記本体に設けられた、前記プランジャ支持体に設けられた取付穴に挿入される筒部と、
前記本体に、前記筒部と同軸に設けられた横断面外周形状が正多角形状をなす角柱状部と、
前記角柱状部の側面に設けられたロック状態表示色部と、
前記本体に、前記筒部および前記角柱状部を前記筒部と同軸に貫通するように設けられた貫通穴と、
前記貫通穴に、軸方向に移動可能に嵌合されたピンと、
前記ピンの基端部に、少なくとも軸方向には該ピンと一体的に移動するように取り付けられている操作ノブと、
前記操作ノブ内に設けられた、前記角柱状部の横断面外周形状に対応する正多角形状の横断面外周形状を有していて、前記角柱状部に対し３６０／Ｎ度（Ｎは前記正多角形状の角数）ずつ回転した位置で、該角柱状部に嵌合可能な本体収容部と、
前記操作ノブの先端部に設けられた、前記操作ノブの前記本体収容部が前記角柱状部に嵌合される回転位置間の中間位置において、前記角柱状部の先端部に嵌合するロック用凹部と、
前記ピンと前記本体との間に介装され、前記ピンを前記筒部から突出させようとする向きに付勢するピン付勢手段と、
前記操作ノブの前記本体収容部が前記角柱状部に最大深さまで嵌合されているときは、前記ロック状態表示色部は前記本体に覆われていて、外部から見えないとともに、前記ピンは前記ピン付勢手段の付勢力により前記筒部から所定量突出した所定突出位置に偏倚している一方、前記角柱状部が前記ロック用凹部に嵌合されているときは、前記角柱状部は前記本体収容部内に収容されておらず、前記ロック状態表示色部は外部から見えるようになっているとともに、前記ピンは前記所定突出位置より引き込まれた引き込み位置にあるインデックスプランジャ。
【請求項２】
前記ロック状態表示色部は、前記角柱状部の側面に貼付されたシールからなる請求項１記載のインデックスプランジャ。
【請求項３】
前記操作ノブ（または前記本体）に設けられた突出位置表示および引き込みロック位置表示と、前記本体（または前記操作ノブ）に設けられた位置指示表示とをさらに有し、
前記角柱状部に前記本体収容部が嵌合される位置に操作ノブが回転されると、前記突出位置表示が前記位置指示表示に合致する一方、前記角柱状部にロック用凹部が嵌合される位置に操作ノブが回転されると、前記引き込みロック位置表示が前記位置指示表示に合致するようになっている請求項１または２記載のインデックスプランジャ。
【請求項４】
前記突出位置表示は、前記操作ノブに設けられた、前記角柱状部に前記本体収容部が嵌合されたとき前記角柱状部の横断面外周正多角形状の頂点部に合致されるスリットにより構成されている一方、前記位置指示表示は前記角柱状部の横断面外周正多角形状の頂点部により構成されている請求項３に記載のインデックスプランジャ。
【請求項５】
前記取付穴はねじ穴とされており、前記筒部の外周に設けられ雄ねじ部が前記取付穴に螺合されることにより、前記プランジャ支持体７に取り付けられるようになっており、
前記操作ノブに設けられた、該操作ノブを回転させるための工具を嵌合できる工具嵌合部をさらに有する請求項１乃至４のいずれかに記載のインデックスプランジャ。
【発明の詳細な説明】
【技術分野】
【０００１】
本発明は、物品の固定や位置決め等に使用されるインデックスプランジャに関する。
【背景技術】
【０００２】
この種のインデックスプランジャは、例えば、特許文献１に示されるように、本体およびピンを有しており、前記本体からピンが所定量突出した状態で、対象体を固定ないしは位置決めする一方、対象体の固定ないしは位置決めを解除するときは、ピンを引き込むようになっている。
【０００３】
そして、従来より、この種のインデックスプランジャの中には、ピンを引き込み位置にロックする機構を設けられているものがあり、その場合、操作ノブを取り付けられたピンがばねにより本体から突出する向きに付勢されており、ばねに抗して操作ノブを引いてから引き込みロック位置に回転すると、ピンが引き込み位置にロックされる一方、操作ノブをロック解除位置に回転すると、ロックが解除されて、ばねの力により本体からピンが所定量突出するようになっていた。
【特許文献１】特開２００５−６９４８４号公報
【発明の開示】
【発明が解決しようとする課題】
【０００４】
しかしながら、前記従来のピンを引き込み位置にロックする機構を有するインデックスプランジャにおいては、外から見ただけでは、ピンが突出位置にあるのか、引き込み位置にロックされているのか分かりにくいというという問題があった。
【０００５】
また、ピンを突出位置から引き込み位置へ、または引き込み位置から突出位置へ遷移させるため、操作ノブを回転する際、外からはどこまで回転させればよいのかはっきり分からないので、操作者は指の触覚や勘を頼りに操作ノブを回転させなければならず、要求される位置に迅速に回転できないという問題もあった。
【０００６】
また、特許文献１に開示されているインデックスプランジャのように、本体に工具嵌合部を設けられていないものは、全体の長さを短くすることができるが、プランジャ支持体に本体を螺着する際、工具を使用して本体を回転し、プランジャ支持体に本体を確実に螺着することができないという問題があった。
【０００７】
本発明は、このような従来の事情に鑑みてなされたもので、本発明の目的の一つは、外部から見て、ピンが突出位置にあるのか、引き込み位置にロックされているのかが、一目で分かるインデックスプランジャを提供することにある。
【０００８】
本発明の他の目的は、ピンを突出位置から引き込み位置へ、または引き込み位置から突出位置へ遷移させる際、操作ノブを要求される回転位置へ迅速に回転できるインデックスプランジャを提供することにある。
【０００９】
本発明の他の目的は、工具嵌合部を有し、プランジャ支持体にインデックスプランジャを取り付ける際、前記工具嵌合部に工具を嵌合して本体を回転することができ、なおかつ全長を短くすることができるインデックスプランジャを提供することにある。
【００１０】
本発明のさらに他の目的は、以下の説明から明らかになろう。
【課題を解決するための手段】
【００１１】
本発明によるインデックスプランジャは、
プランジャ支持体に取り付けられる本体と、
前記本体に設けられた、前記プランジャ支持体に設けられた取付穴に挿入される筒部と、
前記本体に、前記筒部と同軸に設けられた横断面外周形状が正多角形状をなす角柱状部と、
前記角柱状部の側面に設けられたロック状態表示色部と、
前記本体に、前記筒部および前記角柱状部を前記筒部と同軸に貫通するように設けられた貫通穴と、
前記貫通穴に、軸方向に移動可能に嵌合されたピンと、
前記ピンの基端部に、少なくとも軸方向には該ピンと一体的に移動するように取り付けられている操作ノブと、
前記操作ノブ内に設けられた、前記角柱状部の横断面外周形状に対応する正多角形状の横断面外周形状を有していて、前記角柱状部に対し３６０／Ｎ度（Ｎは前記正多角形状の角数）ずつ回転した位置で、該角柱状部に嵌合可能な本体収容部と、
前記操作ノブの先端部に設けられた、前記操作ノブの前記本体収容部が前記角柱状部５に嵌合される回転位置間の中間位置において、前記角柱状部の先端部に嵌合するロック用凹部と、
前記ピンと前記本体との間に介装され、前記ピンを前記筒部から突出させようとする向きに付勢するピン付勢手段と、
前記操作ノブの前記本体収容部が前記角柱状部に最大深さまで嵌合されているときは、前記ロック状態表示色部は前記本体に覆われていて、外部から見えないとともに、前記ピンは前記ピン付勢手段の付勢力により前記筒部から所定量突出した所定突出位置に偏倚している一方、前記角柱状部が前記ロック用凹部に嵌合されているときは、前記角柱状部は前記本体収容部内に収容されておらず、前記ロック状態表示色部は外部から見えるようになっているとともに、前記ピンは前記所定突出位置より引き込まれた引き込み位置にあるものである。
【００１２】
本発明においては、本体の角柱状部に操作ノブの本体収容部が嵌合されており、かつ操作ノブにプランジャ外から力が作用されていない状態では、ピン付勢手段の付勢力によりピンが所定突出位置に偏倚しており、本体収容部は角柱状部に最大深さまで嵌合している。この状態では、ロック状態表示色部は本体に覆われていて、外部から見えない。
【００１３】
次に、この状態から操作ノブを引き上げて行くと、ピンは引き込まれて行き、やがて本体収容部と本体の角柱状部との嵌合が外れた状態になる。そして、続いて角柱状部の先端部にロック用凹部が嵌合可能となる位置まで操作ノブを回転してから、操作ノブの引き上げを止めれば、角柱状部の先端部にロック用凹部が嵌合し、ピンが引き込み位置にロックされる。このようにしてピンが引き込み位置にロックされている状態では、角柱状部は本体収容部内に収容されておらず、ロック状態表示色部は外部から見えている。
【００１４】
次に、この状態から操作ノブを引き上げ、角柱状部の先端部とロック用凹部との嵌合を外してから、角柱状部に本体収容部が嵌合可能となる回転位置まで操作ノブを回転してから、操作ノブの引き上げを止めれば、再び角柱状部に本体収容部が深く嵌合し、ピン付勢手段によりピンが所定突出位置に偏倚し、ロック状態表示色部は本体収容部に覆われて、外部から見えなくなる。
【００１５】
したがって、本願発明のインデックスプランジャにおいては、ロック状態表示色部が見えているか否かにより、ピンが突出位置にあるのか、引き込み位置にロックされているのかが外部から一目で分かる。
【００１６】
また、角柱状部は横断面外周正多角形状とされているので、該角柱状部の側面は平面状であるため、これらの側面に設けられるロック状態表示色部は外部から見やすい（凹面であると、外部から見にくい）。
【００１７】
また、このように角柱状部の側面が平面状であるので、角柱状部の側面にシールを貼付したり、角柱状部の側面に塗装や印刷を施すことにより、ロック状態表示色部を形成する場合に、それらの作業が非常に容易になる（曲面であると、ロック状態表示色部を形成する作業が難しくなる）。
【００１８】
さらに、操作ノブ（または本体）に突出位置表示および引き込みロック位置表示を設ける一方、本体（または操作ノブ）に位置指示表示を設け、角柱状部に本体収容部が嵌合される位置に操作ノブが回転されると、突出位置表示が位置指示表示に合致する一方、角柱状部にロック用凹部が嵌合される位置に操作ノブが回転されると、引き込みロック位置表示が位置指示表示に合致するように構成すれば、従来のように指の触覚や勘に頼ることなく、操作ノブを所望の回転位置へ迅速に回転できる。
【００１９】
さらに、操作ノブに、該操作ノブを回転させるための工具を嵌合できる工具嵌合部を設ければ、本体には工具嵌合部を設けなくてよいので、インデックスプランジャ全体の長さを短くすることができる。その一方、プランジャ支持体に本体を螺着する際は、操作ノブの工具嵌合部に工具を嵌合することにより、工具を使用して操作ノブを介して本体を回転し、プランジャ支持体に本体を確実に螺着することができる。
【発明の効果】
【００２０】
本発明のインデックスプランジャは、
（ａ）外部から見て、ピンが突出位置にあるのか、引き込み位置にロックされているのかが一目で分かる、
（ｂ）操作ノブと本体に、突出位置表示、引き込みロック位置表示および位置指示表示を設けることにより、操作ノブを所望の回転位置へ迅速に回転できる、
（ｃ）操作ノブに工具嵌合部を設けることにより、この工具嵌合部に工具を嵌合して本体を回転することができ、なおかつ本体には工具嵌合部を設けないで全長を短くすることができる、
等の優れた効果を得られるものである。
【発明を実施するための最良の形態】
【００２１】
以下、本発明を図面に示す実施例に基づいて説明する。
【実施例１】
【００２２】
図１〜１２は、本発明の実施例１を示し、図１３は実施例１のインデックスプランジャ１の使用状態の一例を示している。図１，４〜９に示されるように、本体２は鋼鉄等の金属またはプラスチックからなり、工具嵌合部３と、筒部４と、角柱状部５とを一体的に有している。
【００２３】
前記工具嵌合部３は、横断面外周を非円形状、特に正六角形状とされており、スパナ（オープンエンドレンチ）等の工具（図示せず）を嵌合して本体２を回転できるようになっている。前記筒部４は、工具嵌合部３と同軸で、工具嵌合部３から一方に突出している。前記筒部４の外周には雄ねじ部６が設けられており、この雄ねじ部６を図１３に示されるようにプランジャ支持体７に設けられたねじ穴となっている取付穴８に螺合することにより、本体２をプランジャ支持体７に螺着し、取り付けることができるようになっている。
【００２４】
前記角柱状部５は、工具嵌合部３に関し筒部４と反対側、かつ筒部４と同軸に設けられており、その横断面外周形状を、実質的に正四角形（正方形）状とされている。ただし、前記角柱状部５の横断面正四角形の頂点部には、面取り部９が設けられているので、角柱状部５の横断面外周形状は、幾何学的に厳密な意味での正四角形（正方形）ではない（このように、本明細書において、正多角形状という場合、それは幾何学的に厳密な意味での正多角形を意味するわけではない）。各面取り部９は、本実施例における位置指示表示９とされている。前記角柱状部５の側面には、蛍光赤色等の目立つ色の矩形のシールからなるロック状態表示色部１０が貼付されている（図では、便宜上、ロック状態表示色部１０に格子模様を施している）。
【００２５】
図１および８に示されるように、前記本体２には、貫通穴１１が、工具嵌合部３、筒部４および角柱状部５をこれらと同軸に貫通するように設けられている。この貫通穴１１のうちの角柱状部５の先端部付近には、段部１１ａが設けられている。また、前記貫通穴１１には、ピン１２が軸方向に移動可能に嵌合されている。このピン１２には、段部１２ａが設けられている。
【００２６】
前記ピン１２の基端部には、操作ノブ１３がかしめられて取り付けられており、これにより、操作ノブ１３は、少なくとも軸方向には該ピン１２と一体的に移動するようになっている。なお、操作ノブ１３は、回転方向に関しては、ピン１２に対し固定されていてもよいし、回転可能となっていてもよい。
【００２７】
前記操作ノブ１３は、プラスチックからなり、円板状部１４と、この円板状部１４から該円板状部１４と垂直方向に延びる胴部１５とを一体的に有している。図２，３，７〜１０に示されるように、前記胴部１５の内部には、本体収容部１６が形成されている。この本体収容部の横断面外周形状は、角柱状部５の横断面外周形状に対応する形状、すなわち正四角形状をなしており、該本体収容部１６は角柱状部５に対し９０度ずつ回転した位置で該角柱状部５に嵌合可能となっている。ここで、前記胴部１５は、周方向に関し４つの部分１５ａに分割されており、これらの４つの部分１５ａ間にはスリット１７が形成されている。これらのスリット１７は、本実施例における突出位置表示１７となっている。
【００２８】
前記胴部１５の先端部には、ロック用凹部１８が設けられている。このロック用凹部１８は正四角形の頂点部付近に対応する形状を有しており、操作ノブ１３の本体収容部１６が角柱状部５に嵌合される回転位置に対し４５度ずつずれた位置において、角柱状部５の先端部に嵌合可能となっている。各ロック用凹部１８は、胴部１５の先端方向および胴部１５の内方に開口しているのみならず、胴部１５の外周面にも開口しており、これらの外周面への開口部１９は本実施例における引き込みロック位置表示１９を構成している。
【００２９】
図８および１０に示されているように、前記ピン１２の段部１２ａと本体２の貫通穴１１の段部１１ａとの間には圧縮コイルばねからなるピン付勢手段２０が介装されており、このピン付勢手段２０はピン１２を本体２から突出させる向きに付勢している。
【００３０】
図１，８および１０に示されているように、前記操作ノブ１３には、ピン１２との結合部を覆うためのプラスチックからなるキャップ２１が取り付けられている。
【００３１】
次に、本実施例のインデックスプランジャ１の使用方法および作動を説明する。前述の通り、図１３に示されるように、筒部４の雄ねじ部６をプランジャ支持体７に設けられた取付穴８に螺合する（この際、工具嵌合部３に工具を嵌合して本体２を回転させる）ことにより、本体２をプランジャ支持体７に螺着固定し、インデックスプランジャ１１の筒部４の先端を対象体２２に対向させる。本実施例における対象体２２は、プランジャ支持体７に対して位置を固定された回転軸２３回りに回転可能となっており、その外周にピン挿入穴２４を複数設けられている。
【００３２】
図４〜９に示される状態、すなわち本体２の角柱状部５に操作ノブ１３の本体収容部１６が嵌合されており、かつ操作ノブ１３にプランジャ外から力が作用されていない状態では、ピン付勢手段２０の付勢力によりピン１２が筒部４から所定距離突出した所定突出位置（図４〜６，８および１３に示される位置）に偏倚している。また、操作ノブ１３とピン１２とは軸方向に一体的に動くので、このとき、本体収容部１６は角柱状部５に最大深さまで嵌合している。この状態では、ロック状態表示色部１０は本体収容部１６内に収容されており、本体２の胴部１５に覆われていて、外部から見えない。また、図９に示されるように、本体２の位置指示表示（面取り部）９に操作ノブ１３の突出位置表示（スリット）１７が合致している。
【００３３】
このようにピン１２が所定突出位置にある状態では、図１３のようにピン１２をピン挿入穴２４に侵入させ、対象体２２をその位置に固定したり、位置決めすることができる。
【００３４】
次に、図１０に示されるように、ピン１２が所定突出位置にある状態から操作ノブ１３を引き上げて行くと、ピン１２は貫通穴１１内に引き込まれて行き、やがて本体収容部１６と角柱状部５との嵌合が外れた状態になる。そして、続いて、図１１および１２のように、本体２の位置指示表示９に操作ノブ１３の引き込みロック位置表示１９が合致するまで操作ノブ１３を回転してから（４５度回転することになる）、操作ノブ１３の引き上げを止めれば、角柱状部５の先端部にロック用凹部１８が嵌合し、ピン１２が引き込み位置にロックされる。したがって、図１３において、対象体２２がプランジャ１に拘束されなくなる。このようにしてピン１２が引き込み位置にロックされている状態では、角柱状部５は本体収容部１６内に収容されておらず、ロック状態表示色部１０が外部から見えている。
【００３５】
次に、この状態から操作ノブ１３を引き上げ、角柱状部５の先端部とロック用凹部１８との嵌合を外してから、本体２の位置指示表示９に操作ノブ１３の突出位置表示１７が合致するまで操作ノブ１３を回転してから（再び４５度回転することになる）、操作ノブ１３の引き上げを止めれば、再び図８および９に示されるように、角柱状部５に本体収容部１６が嵌合し、ピン付勢手段２０の付勢力によりピン１２が所定突出位置に偏倚し、ロック状態表示色部１０は本体２の胴部１５に覆われて、外部から見えなくなる。
【００３６】
したがって、本願発明のインデックスプランジャ１においては、ロック状態表示色部１０が外部から見えているか否かにより、ピン１２が所定突出位置にあるのか、引き込み位置にロックされているのかが一目で分かる。
【００３７】
また、角柱状部５は横断面外周正四角形状（横断面外周正多角形状）とされているので、角柱状部５の側面は平面状であるため、これらの側面に設けられるロック状態表示色部１０は外部から見やすい（凹面であると、外部から見にくい）。
【００３８】
また、このように角柱状部５の側面が平面状であると、本実施例のように、角柱状部５の側面に貼付したシールによりロック状態表示色部１０を構成する場合、シールの貼付が非常に容易になる（曲面であると、シールを貼付しにくくなる）。
【００３９】
さらに、本実施例では、操作ノブ１３に突出位置表示１７および引き込みロック位置表示１９、本体２に位置指示表示９が設けられていて、角柱状部５に本体収容部１６が嵌合される位置に操作ノブ１３が回転されると、突出位置表示１７が位置指示表示９に合致する一方、角柱状部５にロック用凹部１８が嵌合される位置に操作ノブ１３が回転されると、引き込みロック位置表示１９が位置指示表示９に合致するようになっているので、従来のように指の触覚や勘に頼ることなく、操作ノブ１３を所望の回転位置へ迅速に回転できる。
【実施例２】
【００４０】
図１４〜２５は、本発明の実施例２を示している。本実施例においては、本体２、ピン１２、キャップ２１およびピン付勢手段２０は、前記実施例１のそれらと同じものであり、操作部ノブ１３のみが前記実施例１のそれと異なったものとされている。
【００４１】
図１４〜１６等に示されるように、前記操作ノブ１３は、実施例１の場合と同様に、プラスチックからなり、円板状部１４と、この円板状部１４から該円板状部１４と垂直方向に延びる胴部１５とを一体的に有している。また、図１５，１６，２０〜２３に示されるように、実施例１の場合と同様に、前記胴部１５の内部には、横断面外周形状が正四角形状をなしている本体収容部１６が形成されており、この本体収容部１６は角柱状部５に対し９０度ずつ回転した位置で該角柱状部５に嵌合可能となっている。
【００４２】
しかしながら、図１５，１６および２２によく示されるように、実施例１の場合と異なり、前記胴部１５は、周方向に関し分割されておらず、円筒状とされている。また、前記胴部１５の先端部には、実施例１の場合と同じ機能を果たすロック用凹部１８が設けられているが、実施例１の場合と異なり、このロック用凹部１８は胴部１５の外周面には開口していない。
【００４３】
前記胴部１５の外周には、それぞれ軸方向と平行方向に延びる直線状の突条からなる突出位置表示２５および引き込みロック位置表示２６が設けられている。突出位置表示２５は引き込みロック位置表示２６より短くされている。
【００４４】
このように本実施例と実施例１との主たる相違は、突出位置表示２５および引き込みロック位置表示２６の構成のみであり、本実施例においても、実施例１の場合と同様の作用効果を得ることができる。
【００４５】
ただし、前記実施例１では、突出位置表示１７がスリット１７により構成されており、このスリット１７は、角柱状部５に本体収容部１６が嵌合されたとき、角柱状部５の横断面外周正多角形状の頂点部（位置指示表示、面取り部９）に合致されるようになっているので、ピン１２が所定突出位置にあるときも、外部からスリット１７を通して角柱状部５の横断面外周正多角形状の頂点部（位置指示表示、面取り部９）を見ることができ、操作者は操作ノブ１３と角柱状部５との回転位置関係や嵌合関係をより直感的に把握できるという利点がある。しかるに、本実施例では、突出位置表示２５がスリットで構成されていないので、操作ノブ１３を引き上げている状態でしか、位置指示表示９がどこにあるかを確認できないし、操作ノブ１３と角柱状部５との嵌合状態を直接見ることはできないので、前記実施例１の上記利点は得られない。
【実施例３】
【００４６】
図２６〜３６は、本発明の実施例３を示している。本実施例においては、本体２は筒部４と角柱状部５とを一体的に有しているが、前記実施例１，２の場合と異なり、工具嵌合部３は有していない。前記筒部４は角柱状部５と同軸で、角柱状部５から一方に突出している。
【００４７】
実施例１，２の場合と同様に、筒部４の外周には雄ねじ部６が設けられている。前記角柱状部５は、その横断面外周形状を、各頂点部に面取り部９を設けられた正四角形（正方形）状とされており、この角柱状部５の側面には、蛍光赤色の矩形のシールからなるロック状態表示色部１０が貼付されている。各面取り部９は、本実施例における位置指示表示９とされている。図３３に示されるように、前記本体２には、貫通穴１１が、筒部４および角柱状部５をこれらと同軸に貫通するように設けられている。この貫通穴１１のうちの角柱状部５の先端部付近には、段部１１ａが設けられている。
【００４８】
操作ノブ１３は、プラスチックからなり、円板状部１４と、この円板状部１４から該円板状部１４と垂直方向に延びる工具嵌合部２７とを一体的に有している。前記工具嵌合部２７は、実施例１，２の操作ノブ１３の胴部１５に対応する部分であるが、実施例１，２の場合の胴部１５の横断面外周が円形状とされているのに対し、図２８によく示されるように、本実施例の工具嵌合部２７の横断面外周は正六角形状とされており、スパナ（オープンエンドレンチ）等の工具（図示せず）を嵌合できるようになっている。
【００４９】
実施例１の胴部１５と同様に、前記工具嵌合部２７は、周方向に関し４つの部分２７ａに分割されていて、これらの４つの部分２７ａ間にはスリット１７が形成されており、これらのスリット１７は本実施例における突出位置表示１７となっている。前記工具嵌合部２７の先端部には、実施例１のロック用凹部１８と同様のロック用凹部１８が設けられている。各ロック用凹部１８は、工具嵌合部２７の先端方向および工具嵌合部２７の内方に開口しているのみならず、工具嵌合部２７の外周面にも開口しており、これらの開口部１９は本実施例における引き込みロック位置表示１９を構成している。
【００５０】
その他の構成も、前記実施例１と同様である。
【００５１】
本実施例においては、実施例１の場合と同様の作用効果を得ることができる上、次のような利点を得ることができる。
【００５２】
実施例１，２の場合、本体２に工具嵌合部３を設けられているので、インデックスプランジャ１全体の長さが長くなる。他方、前記特許文献１のインデックスプランジャのように本体に工具嵌合部を設けられていないものは、全体の長さを短くすることができるが、プランジャ支持体に本体を螺着する際、工具を使用して本体を回転することができない。
【００５３】
しかるに、本実施例においては、本体２には工具嵌合部が設けられていないので、インデックスプランジャ１全体の長さを短くすることができる。その一方、操作ノブ１３に工具嵌合部２７が設けられているので、プランジャ支持体７に本体２を螺着する際は、操作ノブ１３の工具嵌合部２７に工具を嵌合することにより、工具を使用して操作ノブ１３を介して本体２を回転し、プランジャ支持体７に本体２を確実に螺着することができる。
【実施例４】
【００５４】
図３７〜４７は、本発明の実施例４を示している。本実施例においては、本体２、ピン１２、キャップ２１およびピン付勢手段２０は、前記実施例３のそれらと同じものであり、操作ノブ１３のみが前記実施例３のそれと異なったものとされている。
【００５５】
図３７〜３９等に示されるように、前記操作ノブ１３は、実施例３の場合と同様に、円板状部１４と、この円板状部１４から該円板状部１４と垂直方向に延びる工具嵌合部２７とを一体的に有している。また、実施例３の場合と同様に、図３９によく示されるように、工具嵌合部２７の横断面外周は正六角形状とされており、工具を嵌合できるようになっている。
【００５６】
しかしながら、図３８および３９によく示されるように、実施例３の場合と異なり、工具嵌合部２７（工具嵌合部２７）は、周方向に関し分割されておらず、角筒状とされている。また、工具嵌合部２７の先端部には、実施例３の場合と同じ機能を果たすロック用凹部１８が設けられているが、実施例３の場合と異なり、このロック用凹部１８は工具嵌合部２７の外周面には開口していない。
【００５７】
前記工具嵌合部２７の外周には、それぞれ軸方向と平行方向に延びる直線状溝部からなる突出位置表示２８および引き込みロック位置表示２９が設けられている。突出位置表示２８は引き込みロック位置表示２９より短くされている。
【００５８】
このように本実施例と実施例３との主たる相違は、突出位置表示２５と２８および引き込みロック位置表示２６と２９の構成の相違のみであり、本実施例においても、実施例３の場合と同様の作用効果を得ることができる。
【００５９】
ただし、前記実施例３では、実施例１の場合と同様に、突出位置表示１７がスリット１７により構成されており、このスリット１７は、角柱状部５に本体収容部１６が嵌合されたとき、角柱状部５の横断面外周正多角形状の頂点部（位置指示表示、面取り部９）に合致されるようになっているので、操作者は操作ノブ１３と角柱状部５との回転位置関係や嵌合関係をより直感的に把握できるという利点があるのに対し、本実施例では、実施例２の場合と同様に、突出位置表示２８がスリットで構成されていないので、操作ノブ１３を引き上げている状態でしか、位置指示表示９がどこにあるかを確認できないし、操作ノブ１３と角柱状部５との嵌合状態を直接見ることはできないので、前記実施例３の上記利点は得られない。
【００６０】
なお、図１３の使用例では、対象体２２が回転方向に移動するようになっているが、本発明によるインデックスプランジャは、回転方向に移動する対象体のみならず、直線方向等の他の移動態様を示す対象体に対しても使用できるものである。また、本発明によるインデックスプランジャは、ピン挿入穴を有さない対象体に対しても使用可能である。
【００６１】
また、前記実施例では、本体２の筒部４をプランジャ支持体７に螺着するようにしているが、本発明は、本体の筒部をプランジャ支持体に螺着しない態様でプランジャ支持体に支持されるインデックスプランジャにも適用できるものである。
【００６２】
また、本発明においては、本体の角柱状部は、必ずしも横断面外周正四角形（正方形）状でなくてもよく、三角形または五角形以上の角数の横断面外周正多角形状としてもよい。
【００６３】
また、本発明においては、前記実施例のように角柱状部５の隅部に面取り部９を設けなくてもよいし、面取り部の代わりにＲ部等を設けてもよい。
【００６４】
また、前記実施例においては、ロック状態表示色部１０の色が蛍光赤色とされているが、本発明においては、ロック状態表示色部の色は他の色でもよいし、蛍光色でなくてもよい。
【００６５】
また、前記実施例では、本体２の角柱状部５の側面にシールを貼付することによりロック状態表示色部１０を形成しているが、本発明においては、ロック状態表示色部を塗装、印刷等の手段で形成してもよい。このようにロック状態表示色部を塗装や印刷で形成する場合にも、角柱状部の側面が平面状であるので、ロック状態表示色部を形成する作業は容易である。
【００６６】
また、前記実施例では、操作ノブ１３の側に突出位置表示１７，２５，２８および引き込みロック位置表示１９，２６，２９を設ける一方、本体２の側に位置指示表示９を設けているが、本発明においては、逆に、本体の側に突出位置表示および引き込みロック位置表示を設ける一方、操作ノブの側に位置指示表示を設けてもよい。
【００６７】
また、前記実施例では、突出位置表示１７，２５，２８、引き込みロック位置表示１９，２６，２９および位置指示表示９が、スリット１７、開口部１９、角筒状部５の横断面外周形状の頂点部９、突条２５，２６または溝部２８，２９により構成されているが、これらの表示を印刷、シール等の他の手段により構成してもよい。
【００６８】
また、前記実施例３，４では、操作ノブ１３に設けられた工具嵌合部２７は横断面外周正六角形状とされているが、本発明において、操作ノブに工具嵌合部を設ける場合、その横断面外周形状は、正六角形状以外の非円形状としてもよい。
【産業上の利用可能性】
【００６９】
以上のように本発明によるインデックスは、物品の固定や位置決め等に使用されるインデックスプランジャとして有用である。
【図面の簡単な説明】
【００７０】
【図１】本発明によるインデックスプランジャの実施例１を示す分解斜視図である（ピン付勢手段は図示を省略している）。
【図２】実施例１の操作ノブを単独で示す斜め下方からの斜視図である。
【図３】実施例１の操作ノブを単独で示す底面図である。
【図４】実施例１を示す斜視図である。
【図５】実施例１を示す正面図である。
【図６】実施例１を示す側面図である。
【図７】実施例１を示す底面図である。
【図８】図５のＶＩＩＩ−ＶＩＩＩ線における断面図である。
【図９】図５のＩＸ−ＩＸ線における断面図である。
【図１０】実施例１において、ピンが突出位置にある状態から操作ノブを引き上げた状態を示す縦断面図である。
【図１１】実施例１において、ピンを引き込み位置にロツクした状態を示す正面図である。
【図１２】図１１のＸＩＩ−ＸＩＩ線における断面図である。
【図１３】実施例１をプランジャ支持体に取り付けた状態を示す断面図である。
【図１４】本発明によるインデックスプランジャの実施例２を示す分解斜視図である（ピン付勢手段は図示を省略している）。
【図１５】実施例２の操作ノブを単独で示す斜め下方からの斜視図である。
【図１６】実施例２の操作ノブを単独で示す底面図である。
【図１７】実施例２を示す斜視図である。
【図１８】実施例２を示す正面図である。
【図１９】実施例２を示す側面図である。
【図２０】実施例２を示す底面図である。
【図２１】図１８のＸＸＩ−ＸＸＩ線における断面図である。
【図２２】図１８のＸＸＩＩ−ＸＸＩＩ線における断面図である。
【図２３】実施例２において、ピンが突出位置にある状態から、操作ノブを引き上げた状態を示す縦断面図である。
【図２４】実施例２において、ピンを引き込み位置にロツクした状態を示す正面図である。
【図２５】図２４のＸＸＶ−ＸＸＶ線における断面図である。
【図２６】本発明によるインデックスプランジャの実施例３を示す分解斜視図である（ピン付勢手段は図示を省略している）。
【図２７】実施例３の操作ノブを単独で示す斜め下方からの斜視図である。
【図２８】実施例３の操作ノブを単独で示す底面図である。
【図２９】実施例３を示す斜視図である。
【図３０】実施例３を示す正面図である。
【図３１】実施例３を示す側面図である。
【図３２】実施例３を示す底面図である。
【図３３】図３０のＸＸＸＩＩＩ−ＸＸＸＩＩＩ線における断面図である。
【図３４】実施例３において、ピンが突出位置にある状態から、操作ノブを引き上げた状態を示す縦断面図である。
【図３５】実施例３において、ピンを引き込み位置にロツクした状態を示す正面図である。
【図３６】実施例３において、ピンを引き込み位置にロツクした状態を示す底面図である。
【図３７】本発明によるインデックスプランジャの実施例４を示す分解斜視図である（ピン付勢手段は図示を省略している）。
【図３８】実施例４の操作ノブを単独で示す斜め下方からの斜視図である。
【図３９】実施例４の操作ノブを単独で示す底面図である。
【図４０】実施例４を示す斜視図である。
【図４１】実施例４を示す正面図である。
【図４２】実施例４を示す側面図である。
【図４３】実施例４を示す底面図である。
【図４４】図４１のＸＬＩＶ−ＸＬＩＶ線における断面図である。
【図４５】実施例４において、ピンが突出位置にある状態から、操作ノブを引き上げた状態を示す縦断面図である。
【図４６】実施例４において、ピンを引き込み位置にロツクした状態を示す正面図である。
【図４７】実施例４において、ピンを引き込み位置にロツクした状態を示す底面図である。
【符号の説明】
【００７１】
１    インデックスプランジャ
２    本体
３    工具嵌合部
４    筒部
５    角柱状部
６    雄ねじ部
７    プランジャ支持体
８    取付穴
９    位置指示表示（面取り部）
１０    ロック状態表示色部
１１    貫通穴
１２    ピン
１３    操作ノブ
１６    本体収容部
１７    突出位置表示（スリット）
１８    ロック用凹部
１９    引き込みロック位置表示（開口部）
２０    ピン付勢手段
２５    突出位置表示（突条）
２６    引き込みロック位置表示（突条）
２７    工具嵌合部
２８    突出位置表示（溝部）
２９    引き込みロック位置表示（溝部）
【図１】
2010019352.tif 000003
【図２】
2010019352.tif 000004
【図３】
2010019352.tif 000005
【図４】
2010019352.tif 000006
【図５】
2010019352.tif 000007
【図６】
2010019352.tif 000008
【図７】
2010019352.tif 000009
【図８】
2010019352.tif 000010
【図９】
2010019352.tif 000011
【図１０】
2010019352.tif 000012
【図１１】
2010019352.tif 000013
【図１２】
2010019352.tif 000014
【図１３】
2010019352.tif 000015
【図１４】
2010019352.tif 000016
【図１５】
2010019352.tif 000017
【図１６】
2010019352.tif 000018
【図１７】
2010019352.tif 000019
【図１８】
2010019352.tif 000020
【図１９】
2010019352.tif 000021
【図２０】
2010019352.tif 000022
【図２１】
2010019352.tif 000023
【図２２】
2010019352.tif 000024
【図２３】
2010019352.tif 000025
【図２４】
2010019352.tif 000026
【図２５】
2010019352.tif 000027
【図２６】
2010019352.tif 000028
【図２７】
2010019352.tif 000029
【図２８】
2010019352.tif 000030
【図２９】
2010019352.tif 000031
【図３０】
2010019352.tif 000032
【図３１】
2010019352.tif 000033
【図３２】
2010019352.tif 000034
【図３３】
2010019352.tif 000035
【図３４】
2010019352.tif 000036
【図３５】
2010019352.tif 000037
【図３６】
2010019352.tif 000038
【図３７】
2010019352.tif 000039
【図３８】
2010019352.tif 000040
【図３９】
2010019352.tif 000041
【図４０】
2010019352.tif 000042
【図４１】
2010019352.tif 000043
【図４２】
2010019352.tif 000044
【図４３】
2010019352.tif 000045
【図４４】
2010019352.tif 000046
【図４５】
2010019352.tif 000047
【図４６】
2010019352.tif 000048
【図４７】
2010019352.tif 000049